(57)【要約】      （修正有）【課題】畳の端が浮き上がりや隣の畳や敷床との段差を解消してつまずきや美観の悪さを解消する。【解決手段】ボード又はフォーム（成形体）からなる芯材１aの下面にポリオレフィン系樹脂のフラットヤーンを延伸させてクロスに編んだ熱収縮性の裏当てシート４を貼り、裏当てシート４を熱収縮させて芯材１aの上面を椀形に盛り上がらせて順反りにする。【選択図】図１
2011074704.tif 000002
【特許請求の範囲】
【請求項１】
ボード又はフォーム（成形体）からなる芯材の下面に熱収縮性の裏当てシートを貼り、裏当てシートを熱収縮させて芯材の上面を椀形に盛り上がらせて順反りにしてあることを特徴とする畳床。
【請求項２】
裏当てシートがポリオレフィン系樹脂のフラットヤーンを延伸させてクロスに編んだものである請求項１の畳床。
【請求項３】
クロスがクラフト紙に貼ってある請求項２の畳床。
【請求項４】
芯材の上面にクッション材を貼った請求項１〜３いずれかの畳床。
【請求項５】
請求項１〜４いずれかの畳床に畳表を被覆した薄畳。
【請求項６】
裏当てシートの裏面に滑り止め材を貼った請求項５の薄畳。
【発明の詳細な説明】
【技術分野】
【０００１】
本発明は、洋間等のフロアに部分的或いは全面的に敷いたり、部屋に敷設域枠を形成してこの枠の中に敷く畳の畳床及びこの畳床を使用する薄畳に関するものである。
【背景技術】
【０００２】
最近は生活様式が西洋風になっており、床も板間等のフロアになっているものが多い。このような床でも、畳敷きの和風にできるようにフロア（敷床）の上に直接敷く置敷き畳が出回っている。この種の置敷き畳は厚みが４０ｍｍ程度以下の薄畳にして敷床との段差があまり生じないようにしている。また、敷床に枠を形成してこの枠の中に敷く和室用の畳であっても薄畳にしていることが多い。
【０００３】
ところが、畳は畳表を畳床の表面側に張っていることから、これが縮んで薄畳であることと相まって上面側が椀形に凹む、所謂、逆反りになっていることが多い。畳が逆反りであると、隣の畳との間に段差ができたり、敷床との段差が大きくなって上に乗る場合につまずいたり、乗った場合に傾いて踏触感が悪いし、違和感もある。また、美観も悪いものになる。
【０００４】
このため、下記特許文献１では、畳床を予め上面が椀形に盛り上がる順反りに成形し、畳表を張ったときに平坦になるようにしているものが提案されている。しかし、この先行例では、畳床を順反りにするために、成形や加工に手間がかかるものになっている。また、畳床に畳表を張ったときに畳全体が平坦になるようにするには張り方も難しい。さらに、畳床を強度的に弱いポリオレフィン系樹脂の発泡体としているため、畳表の張り方次第では割れたりすることもある。加えて、敷床に不陸があると、畳の上を歩くとゴトゴトした状態になる。
【先行技術文献】
【特許文献】
【０００５】
【特許文献１】特開平１０−２５２２４８号公報
【発明の概要】
【発明が解決しようとする課題】
【０００６】
本発明が解決しようとする課題は、畳表の張りも従来どおりでよく、敷床に不陸がある場合でも、踏触感や違和感を生じさせないようにしたものである。
【課題を解決するための手段】
【０００７】
以上の課題の下、本発明は、請求項１に記載した、ボード又はフォーム（成形体）からなる芯材の下面に熱収縮性の裏当てシートを貼り、裏当てシートを熱収縮させて芯材の上面を椀形に盛り上がらせて順反りにしてあることを特徴とする畳床を提供するとともに、この畳床において、請求項２に記載した、裏当てシートがポリオレフィン系樹脂のフラットヤーンを延伸させてクロスに編んだものである手段、請求項３に記載した、クロスがクラフト紙に貼ってある手段、請求項４に記載した、芯材の上面にクッション材を貼った手段を提供する。
【０００８】
また、本発明は、請求項５に記載した、上記の畳床に畳表を被覆した薄畳を提供するとともに、これにおいて、請求項６に記載した、裏当てシートの裏面に滑り止め材を貼った手段を提供する。
【発明の効果】
【０００９】
請求項１の発明によれば、畳床を順反り状態等の特別の形状に成形、加工する必要はないし、畳表も通常の貼り方でよい。また、請求項２の手段によれば、裏当てシートの入手が容易であり、順反りも容易にできる。したがって、製作が容易で安価である。また、請求項５の手段によれば、順反り状態の薄畳を簡単に具現でき、隣の畳や敷床との段差が少ないし、周縁は必ず敷床に接地することになって乗ったときの踏触感や違和感がない。
【図面の簡単な説明】
【００１０】
【図１】本発明に係る薄畳の断面図である。
【図２】裏当てシートの一部平面図である。
【図３】裏当てシートの一部断面図である。
【発明を実施するための形態】
【００１１】
以下、本発明の実施の形態を図面を参照して説明する。図１は本発明に係る薄畳の断面図であるが、この薄畳（以下、畳）は、芯材１ａからなる畳床１を畳表２で覆ったものであり（畳縁は通常使用しない）、本例の畳床１は、芯材１ａの上面にクッション材３を貼り、下面に裏当てシート４を貼ったものである。なお、図１において、畳は上面が椀形に盛り上がった順反りになっているが、これは誇張したためであり、実際は、こうまで順反りにはなっていない。なお、ここでいう薄畳とは、一般的に厚さが４０ｍｍ程度以下の畳のことである。
【００１２】
この場合の芯材１ａとしては、インシュレーションボード（ボード）やポリスチレンフォーム（フォーム）を使用したものであり、両方を用いる場合は、必要に応じてこれらを接着したり、畳糸で縫い合わせたりして積層する。仮に、厚さ２０ｍｍの畳であれば、芯材１ａの厚さは一般的には１５ｍｍ以下になる。クッション材３は緩衝性を発揮させて踏触感を高めるものであるとともに、後述する芯材１ａの順反りを一様に、かつ、緩和するものであり、厚さ１〜５ｍｍ程度のポリオレフィリン系の発泡体が多く使用されるが、不織布や紙等も使用されることがある。畳表２は天然い草、和紙、ポリプロピレン（ＰＰ）、麻及びレザー等が使用される。
【００１３】
芯材１ａの下面には熱収縮性の裏当てシート４を貼る。図２は裏当てシート４の一部平面図、図２は一部断面図であるが、本例の裏当てシート４は、ボリエチレン、ポリプロビレン、ボリスチレンといったポリオレフィン系樹脂の８５０デニール程度のフラットヤーンを経緯条としてクロス４ａに織成して樹脂を用いてラミネート加工をしたものである。この場合、フラットヤーンは３〜８倍程度に延伸させて強度を高めており、経緯条の密度は１インチ四方に縦横５本程度にしたものが適する。なお、経緯条は隙間なく織られるものと、そうでないものとがあるが、そのいずれてあってもよい。この他、クロス４ａの強度を高めるために、クロス４ａを１００ｇ／ｍ2 程度のクラフト紙４ｂで貼ったものを使用することもある。
【００１４】
以上の芯材１ａの上面及び下面の全体にクッション材３及び裏当てシート４を貼った畳床１を畳表２で覆う。この場合の畳表２はクッション材３の上面全体を覆うが、下面はその周縁に留めている。次に、裏当てシート４を８０〜１５０°Ｃ、１０〜３０ｓｅｃ程度の条件の下で熱プレスする。これにより、裏当てシート４は収縮し、畳全体は上面が椀形に盛り上がった順反りの状態になる。順反りの程度は、クロス４ａの経緯条のデニールや延伸の程度或いは熱プレス条件によって異なるが、置いたときに裏面の中央にわずかな隙間ができる程度にしておくのが適する。具体的には、９００×９００ｍｍのサイズのもので、中央が５ｍｍ程度浮き上がるのが適する。さらに、順反りにすると、畳表２の緩みや皺が取れる利点もある。
【００１５】
この後、滑り難く加工したポリオレフィン系樹脂シートや不織布シート等の滑り止め材５を裏当てシート４の裏面に（畳表２を含んで）貼るが、この貼着は熱プレスと同時に行ってもよい。この場合、クッション材３や裏当てシート４は芯材１ａに接着剤による接着が好ましいが、場合によっては、畳表２で包んだだけにしてもよい。こうすると、接着の工程が省け、コストを安くすることができる。
【００１６】
以上で畳が製作できたのであるが、これをフロア等の敷床の上に敷くと、畳は順反りの状態になる。そして、この順反りの状態は何時までも維持される。したがって、周縁は接地していることになり、畳の上に乗った場合、傾いたりして踏触感が悪くなことはないし、違和感も薄れる。なお、順反りの程度如何では、上記したように中央にわずかな隙間ができることもあるが、この上に乗ったとしても、多少沈み込むだけで、踏触感が悪くなることはない。さらに、敷床に不陸があったとしても、ゴトゴト感は解消される。
【符号の説明】
【００１７】
１      畳床
１ａ    畳床の芯材
２      畳表
３      クッション材
４      裏当てシート
４ａ        〃      のクロス
４ｂ        〃      のクラフト紙
５      滑り止め材
【図１】
2011074704.tif 000003
【図２】
2011074704.tif 000004
【図３】
2011074704.tif 000005